(57)【特許請求の範囲】
【請求項１】
伝送装置が具備するＳＤＨインタフェース信号収容パッケージを交換する時に、故障回復認識後に対向装置からの受信ＡＰＳバイトと、自装置の故障状態及び送信しようとしているＡＰＳバイトとを比較する第１のステップと、
比較結果に応じて、異常な切り戻りが発生しないように、一定時間ＡＰＳバイト送信を抑止する第２のステップ
とにより構成されることを特徴とする伝送路切替異常回避方法。
【請求項２】
故障回復認識後に、対向装置からの受信ＡＰＳバイトと、自装置の故障状態及び送信しようとしているＡＰＳバイトとを比較し、
比較結果に応じてそのインタフェースに関する処理を一定期間スキップし、他のインタフェースに関する切替機能を動作可能とさせることを特徴とする請求項１記載の伝送路切替異常回避方法。
【請求項３】
現用系及び予備系により構成される冗長伝送路を介して互いに対向する伝送装置間で切替制御情報を両系の伝送路のＳＯＨにて送受信するシステムにおいて、
伝送装置が具備するＳＤＨインタフェース信号収容パッケージを交換する時に、故障回復認識後に対向装置からの受信ＡＰＳバイトと、自装置の故障状態及び送信しようとしているＡＰＳバイトとを比較する手段と、
該比較手段の比較結果に応じて、異常な切り戻りが発生しないように、一定時間ＡＰＳバイト送信を抑止する手段
とを具備することを特徴とする伝送路切替異常回避システム。
【発明の詳細な説明】
【０００１】
【発明の属する技術分野】
本発明は伝送路切替異常回避方法及び伝送路切替異常回避システムに関し、特に伝送路切替制御システムにおいて、現用系及び予備系により構成される冗長伝送路を介して互いに対向する伝送装置間で切替制御情報を両系のセクション・オーバ・ヘッド（ＳＯＨ）にて送受信することにより行なう双方向伝送路の切替異常回避方法及び伝送路切替異常回避システムに関する。更に詳しくは、伝送装置が具備しているインタフェース（ＩＦ）盤の故障若しくは抜去によって、該装置はインタフェース盤の装置故障、対向装置は伝送路故障となるが、どちらの装置も故障を検出した場合の、復旧時の装置間のＡＰＳバイトシーケンスに関するものである。
【０００２】
【従来の技術】
従来のこの種のシステムとしては、特開平７−２２６７２９号に記載されたものがある。この発明は、送信側の両系ＡＰＳバイト送信部にてＳＤＨに対応した主信号のＳＯＨに、系切り替え制御情報ＡＰＳバイトをそれぞれ挿入すると共に、両系故障情報送信部にてＡＰＳバイトのＫ２バイトの下位３ビットに各系の故障の有無を示す故障情報を挿入するものである。ここで、ＳＤＨはＳｙｎｃｈｒｏｎｏｕｓ  Ｄｉｇｉｔａｌ  Ｈｉｅｒａｒｃｈｙの略であり、ＩＴＵ−Ｔがまとめた高速中継速度体系の国際規格のことをいう。また、ＡＰＳとはＡｕｔｏｍａｔｉｃ  Ｐｒｏｔｅｃｔｉｏｎ  Ｓｗｉｔｃｈの略、ＳＯＨは、Ｓｅｃｔｉｏｎ  Ｏｖｅｒ  Ｈｅａｄの略である。
【０００３】
一方、受信側では、各系の受信部の故障情報受信部にて故障情報を抽出し、故障の有無を判定する。そして、故障のない系のＡＰＳバイトの切り替え制御情報に従いセレクタを切り替えるようにしたものである。
【０００４】
図１１は従来の故障検出／故障回復認識シーケンスを示す図である。この図は、自装置並びに対向装置共に故障を検出し、その後回復認識するシーケンスを示すものである。なお、ＡＰＳバイトには、伝送路上のＳＯＨのＫ１／Ｋ２バイトを用いる。この図では、Ａ局装置とＢ局装置とが対向しており、切り替わる際のＫ１／Ｋ２バイトの送受信を時系列に示している。
【０００５】
今、自局装置（Ａ局）のパッケージ（ＰＫＧ）故障が発生した（図中×）ので、ＰＫＧを交換する。そして、自局装置Ａより対向装置Ｂに対してＳｉｇｎａｌＦａｉｌｕｒｅ（以下ＳＦと略す）切り替え要求（Ｃ１１０）を送信する（Ｓ１）。ここで、記号“Ｃ１１０”とは、伝送系で予め決められているプロトコルを示す記号である（以下同じ）。対向装置Ｂでは、切り替え要求ＳＦを受信する。そして、伝送路を切り替えて（Ｓ２）、応答を意味するＲｅｖｅｒｓｅ  Ｒｅｑｕｅｓｔ（以下ＲＲと略す）２１１０を送信する（Ｓ３）。自局装置Ａでは、対向装置Ｂから送信されたＲＲを受信し、伝送路を切り替える（Ｓ４）。
【０００６】
その後、対向装置Ｂでは、自局装置ＡのＰＫＧ故障、抜去による伝送路故障が認識され（Ｓ５）、ＳＦ切り替えトリガとなるが、既に自局装置Ａがマスタ局となって切り替え動作が行われているため、対向装置ＢのＳＦ送信は抑止される。
【０００７】
その後、自局装置ＡのＳＦが回復するので（Ｓ６）、回復待機保護時間が開始され、Ｗａｉｔ  ｔｏ  Ｒｅｓｔｏｒｅ（以下ＷＴＲと略す）６１１０を送信する（Ｓ７）。対向装置Ｂは、ＷＴＲを受信することによって対向装置（自局装置Ａ）の故障回復を認識し（Ｓ８）、抑止していたＳＦ切り替え要求Ｃ１１０を送信する（Ｓ９）。この動作で対向装置Ｂはマスタ局となる。自局装置ＡはＳＦ（Ｃ１１０）を受信することによってマスタ局からスレーブ局となる（Ｓ９）。
【０００８】
自局装置Ａは、対向装置Ｂに対してＲＲ（２１１０）を送信する（Ｓ１０）。その後、対向装置ＢはＲＲ信号を受けて、伝送路故障の回復を認識する（Ｓ１１）と、自局装置Ａに対してＷＴＲ（６１１０）を送信する（Ｓ１２）。そして、回復待機保護開始となる。そして、保護時間経過後にＮｏ  Ｒｅｑｅｓｔ（以下ＮＲと略す）００２０を送信して（Ｓ１３）、名称変更動作を行なう。ここで、名称変更動作とは、現用系と予備系の名称変更動作である。自局装置Ａからは、対向装置Ｂに向けてＮＲ（００２０）を送信する（Ｓ１４）。
【０００９】
上述したシーケンスは、国内で一般的に行われているもので、第１の切り替え方式と呼ぶことにする。
【００１０】
【発明が解決しようとする課題】
前述した第１の切り替え方式では、パッケージ交換を行なう時、以下に示すようなシーケンスが発生し、伝送路が切り替わり、信号が瞬断するという問題が発生していた。これを異常ＲＲシーケンスによる切り戻りと呼ぶ。図１２〜図１４は切り戻り発生の説明図である。図１２は、対向装置Ｂでパッケージ交換時、自局装置ＡでのＳＦ回復が対向装置Ｂでのパッケージ挿入検出よりも速い場合を、図１３は自局装置Ａでパッケージ交換時、自局装置Ａでのパッケージ挿入検出が対向装置ＢでのＳＦ回復よりも遅い場合を、図１４は対向装置Ｂでパッケージ交換時、対向装置Ｂでのパッケージ挿入検出が自局装置ＡでのＳＦ回復より速い場合をそれぞれ示す。
【００１１】
ここでは、図１２に示すシーケンスについて詳しく説明する。対向装置Ｂにて０系パッケージが抜去されると、自局装置Ａにて伝送路故障であるＳＦを検出し、対向装置Ｂに対して１系への切り替え要求Ｃ１１０をＫ１／Ｋ２バイトにより送信する（手順１）。対向装置Ｂにて１系へのＳＦ切り替え要求を受信すると、１系への伝送路切り替えを実施し（手順２）、自局装置Ａに対して切り替え応答（以下、ＲＲと略す）２１１０をＫ１／Ｋ２バイトにより送信する（手順３）。自局装置Ａにて、ＲＲを受信すると、１系への伝送路切り替えを実施し（手順４）、０系パッケージ抜去による伝送路切り替えが完了する。
【００１２】
その後、対向装置Ｂにて０系パッケージを挿入すると、先ず自局装置ＡにてＳＦの回復を検出し、回復待機状態となる。このため、回復待機中６１１０（ＷＴＲ）をＫ１／Ｋ２バイトにより送信する（手順５）。対向装置Ｂにて回復待機中ＷＴＲを受信すると、まだ対向装置Ｂは０系のパッケージ故障状態となっているため、自局装置Ａに対して１系へのＳＦ切り替え要求Ｃ１１０をＫ１／Ｋ２バイトにより送信する（手順６）。
【００１３】
自局装置ＡにてＳＦ切り替え要求を受信すると、現在の切り替え状態である回復待機状態より、対向装置ＢからのＳＦ切り替え要求の方が優先度が高いため、対向装置Ｂに対してＲＲ（２１１０）をＫ１／Ｋ２バイトにより送信する（手順７）。一方、対向装置Ｂでは、自局装置ＡからのＲＲを受信する前に、パッケージ故障の回復を認識し、自局装置Ａにて送信されていた回復待機中の切り替え要求に対するＲＲを自局装置Ａに対して送信する（手順８）。
【００１４】
この時点で、自局装置Ａ、対向装置Ｂ共にＲＲ（２１１０）を送信している状態となり、マスタとなる局が存在しなくなるため、両局で切り戻り（ＳＷＢＫ）が発生する（手順９）。このような切り戻りの発生は、図１３に示すシーケンス、図１４に示すシーケンスでも同様である。
【００１５】
本発明はこのような課題に鑑みてなされたものであって、安全でかつ交換時間を短縮したパッケージ交換作業を行なうことができる伝送路切替異常回避方法及び伝送路切替異常回避システムを提供することを目的としている。
【００１６】
【課題を解決するための手段】
（１）図１は本発明方法の原理を示すフローチャートである。本発明は、伝送装置が具備するＳＤＨインタフェース信号収容パッケージを交換する時に、故障回復認識後に対向装置からの受信ＡＰＳバイトと、自装置の故障状態及び送信しようとしているＡＰＳバイトとを比較する第１のステップと、比較結果に応じて、異常な切り戻りが発生しないように、一定時間ＡＰＳバイト送信を抑止する第２のステップとにより構成されることを特徴とする。
【００１７】
前述した第１の切り替え方式で運用されているパッケージが故障した場合、又はパッケージの機能アップをする場合にパッケージ交換が行なわれる。これまでは、交換対象となるパッケージを抜去後、新パッケージの挿入を行なう前に、保守者がロックアウト（Ｌｏｃｋ  Ｏｕｔ）を実行することで、現在の切り替え状態を固定した後、パッケージを挿入するといった保守者によるパッケージ交換前の準備作業が必要であった。
【００１８】
このため、パッケージ交換時には準備作業、確認作業等が必要になり、また、保守者のケアレスミス等により準備／確認作業をしなかった場合には、パッケージ挿入時に異常ＲＲ処理に陥る時があり、その場合、パッケージが挿入された側に伝送路が切り替わり、主信号が瞬断するという問題があった。
【００１９】
本発明は、パッケージ挿入時に、対向装置から期待するＫ１／Ｋ２バイトを受信するまで切り替え処理（タスク）を止めることで異常ＲＲ処理に陥らないようにし、それにより、パッケージ交換時の準備作業をなくし、安全でかつ交換時間を短縮したパッケージ交換作業を行なうことが可能となる。
【００２０】
（２）請求項２記載の発明は、故障回復認識後に、対向装置からの受信ＡＰＳバイトと、自装置の故障状態及び送信しようとしているＡＰＳバイトとを比較し、比較結果に応じてそのインタフェースに関する処理を一定期間スキップし、他のインタフェースに関する切替機能を動作可能とさせることを特徴とする。
【００２１】
請求項１記載の発明では、切り替え処理（タスク）を止めるため、対向装置の回復確認保護時間によっては切り替え処理（タスク）を止める時間が長くなり、その間、他のプロテクションでの切り替え動作が行えないという問題がある。そこで、本発明では、パッケージ挿入時に異常ＲＲ処理に陥ると判断した時に、切り替え処理（タスク）を止めることなく、異常ＲＲ処理を回避し、異常ＲＲ処理回避中においても他のプロテクションでの切り替え動作を可能とする。ここで、他のプロテクションでの切り替え動作の例としては、例えば伝送路切り替え動作が考えられる。
【００２２】
（３）請求項３記載の発明は、現用系及び予備系により構成される冗長伝送路を介して互いに対向する伝送装置間で切替制御情報を両系の伝送路のＳＯＨにて送受信するシステムにおいて、伝送装置が具備するＳＤＨインタフェース信号収容パッケージを交換する時に、故障回線認識後に対向装置からの受信ＡＰＳバイトと、自装置の故障状態及び送信しようとしているＡＰＳバイトとを比較する手段と、該比較手段の比較結果に応じて、異常な切り戻りが発生しないように、一定時間ＡＰＳバイト送信を抑止する手段とを具備することを特徴とする。
【００２３】
このように構成すれば、パッケージ交換時に、異常ＲＲ処理に陥らないようにすることで、保守者によるパッケージ交換時の準備作業をなくし、かつ交換時間を短縮したパッケージ交換作業を行なうことが可能となる。
【００２４】
【発明の実施の形態】
以下、図面を参照して本発明の実施の形態例を詳細に説明する。
図２は本発明方法を実施するシステム構成例を示すブロック図である。図において、１０はハードウェアである。１はＳＦ／ＳＤ変化検出処理部であり、伝送路故障であるＳＦ、又はＳＤ（Ｓｉｇｎａｌ  Ｄｅｇｒａｄｅ）が発生／回復した時に呼び出され、故障が回復した時は、必要に応じて異常ＲＲ回避タイマ制御処理部６を呼び出すか、又は受信Ｋ１／Ｋ２バイト読出処理部２より受信Ｋ１／Ｋ２バイトを読み出して、現在のＳＦ／ＳＤ故障情報と受信Ｋ１／Ｋ２バイト情報を切替制御メイン処理部３に通知する。
【００２５】
２は受信Ｋ１／Ｋ２バイト読出処理部であり、各処理部からの依頼により、指定されたラインに対して現在受信している受信Ｋ１／Ｋ２バイトをハードウェア１０より読み出し、読み出し結果を依頼元に通知する。
【００２６】
３は切替制御メイン処理部であり、各処理部より渡された切替制御情報（ＳＦ／ＳＤ、Ｋ１／Ｋ２、ユニット状態の情報）を基に現切り替え状態を決定し、ブリッジ（Ｂｒｉｄｇｅ）／スイッチ（Ｓｗｉｔｃｈ）の伝送路切り替え制御、及び送信Ｋ１／Ｋ２バイト設定をハードウェア１０に対して実施する。ここで、Ｂｒｉｄｇｅとは０／１系に同じ信号を流すことであり、Ｓｗｉｔｃｈとは０／１系切り替えを意味する。
【００２７】
４は受信Ｋ１／Ｋ２バイト変化検出処理部であり、受信Ｋ１／Ｋ２バイトが変化した時に、必要に応じて異常ＲＲ回避タイマ制御処理部６を呼び出すか、又は変化した受信Ｋ１／Ｋ２バイト情報を切替制御メイン処理部３に通知する。
【００２８】
５はパッケージ状態変化処理部であり、パッケージの状態が変化（正常から異常、又は異常から正常）した場合に、現在のパッケージ状態と共に切替制御メイン処理部３に通知する。
【００２９】
６は異常ＲＲ回避タイマ制御処理部であり、ＳＦ／ＳＤ変化検出処理部１、又は受信Ｋ１／Ｋ２バイト変化検出処理部４にて異常ＲＲ処理に陥ると判断された時に起動され、一定時間後に異常ＲＲ回避処理部７を起動する。
【００３０】
７は異常ＲＲ回避処理部であり、異常ＲＲ回避タイマ制御処理部６より一定時間後に起動され、最新の受信Ｋ１／Ｋ２バイトを受信Ｋ１／Ｋ２バイト読出処理部２により読み出して、受信Ｋ１／Ｋ２バイト情報を切替制御メイン処理部３に通知する。
【００３１】
以上説明した１〜７までの構成要素は、ハードウェア又はソフトウェアの何れでも実現することが可能である。
このように構成されたシステムの動作概要を以下に説明する。
【００３２】
ＳＦ／ＳＤ変化検出処理部１にて伝送路故障の回復が検出された時、現在の切り替え運用状態に対し、異常ＲＲ状態となる場合、又は受信Ｋ１／Ｋ２バイト変化検出処理部４にて受信Ｋ１／Ｋ２バイトの変化が検出された時、現在の切り替え運用状態に対し異常ＲＲ状態となる場合は、一定時間、切り替え処理（タスク）を止め、再開後に受信Ｋ１／Ｋ２バイト読出処理部２から受信Ｋ１／Ｋ２バイトを読み出して切替制御メイン処理部３に通知する。
【００３３】
また、ＳＦ／ＳＤ変化検出処理部１、又は受信Ｋ１／Ｋ２バイト変化検出処理部４にて異常ＲＲ状態となる場合は、異常ＲＲ回避タイマ制御処理部６に対してタイマ制御を依頼し、タイムアウト後に異常ＲＲ回避処理部７を起動し、受信Ｋ１／Ｋ２バイト読出処理部２から受信Ｋ１／Ｋ２バイトを読み出して切替制御メイン処理部３に通知する。
【００３４】
図３〜図５は本発明の動作シーケンス例を示す図であり、図３は第１の動作シーケンス、図４は本発明の第２の動作シーケンス、図５は本発明の第３の動作シーケンスである。以下、これらのシーケンスについて説明する。
（図３と図４の場合）
図３では、対向装置Ｂでのパッケージ交換作業にて、パッケージが挿入された後、自局装置ＡのＳＦ／ＳＤ変化検出処理部１にて、ＳＦが回復したことを認識する。そして、ＳＦ／ＳＤ変化検出処理部１から切替制御メイン処理部３に対してＳＦが回復（以下、故障回復という）したことを通知する。図４では、自局装置Ａでのパッケージ交換作業にて、パッケージが挿入されたことをパッケージ状態変化処理部５で認識し、パッケージ状態変化処理部５から切替制御メイン処理部３に対してパッケージが正常（以下、故障回復という）になったことを通知する。
【００３５】
切替制御メイン処理部３に故障回復が通知されると、切り替え状態は回復待機状態となる。その後、対向装置ＢからＳＦ切り替え要求のＫ１／Ｋ２バイトが送信され、自局装置Ａでは受信Ｋ１／Ｋ２バイト変化検出処理部４にてそれが認識される。受信Ｋ１／Ｋ２バイト変化検出処理部４では、対向装置Ｂより受信しているＫ１／Ｋ２バイトがＳＦ切り替え要求で、かつ自局装置Ａの状態は回復待機中であるため、異常ＲＲ状態に陥ると判断し、対向装置ＢからのＲＲ受信を待つため、切り替え処理（タスク）を止める。
【００３６】
また、対向装置Ｂでは、自局装置Ａの切り替え処理（タスク）が止まっている間に、故障回復を認識するため、自局装置Ａから送信されている回復待機のＫ１／Ｋ２バイトに対して、ＲＲのＫ１／Ｋ２バイトを送信する。自局装置Ａでは、切り替え処理（タスク）が再開すると、再度、受信Ｋ１／Ｋ２バイト読出処理部２を通して受信Ｋ１／Ｋ２バイトを読み出し、対向装置ＢからのＲＲ受信を認識することで、異常ＲＲ状態に陥ることを防いでいる。
（図５の場合）
対向装置Ｂでのパッケージ交換作業にて、パッケージが挿入された後、自局装置Ａの受信Ｋ１／Ｋ２バイト変化検出処理部４にて回復待機のＫ１／Ｋ２バイトを受信したことを切替制御メイン処理部３に通知する。
【００３７】
切替制御メイン処理部３に回復待機のＫ１／Ｋ２バイト受信が通知されると、現在ＳＦ検出中であり、ＳＦ検出の方が回復待機のＫ１／Ｋ２バイト受信より優先度が高いため、ＳＦ切り替え要求のＫ１／Ｋ２バイトを対向装置Ｂへ送信する。その後、ＳＦ／ＳＤ変化検出処理部１似てＳＦが回復したことを認識すると、ＳＦ／ＳＤ変化検出処理部１では、対向装置Ｂより受信しているＫ１／Ｋ２バイトがＲＲでなく、かつ自局の状態はＳＦ切り替え要求中であるため、異常ＲＲ状態に陥ると判断し、対向装置ＢからのＲＲ受信を待つため、切り換え処理（タスク）を止める。
【００３８】
また、対向装置Ｂでは、自局装置Ａの切り替え処理（タスク）が止まっている間に、自局装置Ａから送信されているＳＦ切り替え要求を認識するため、それに対するＲＲを送信する。自局装置Ａでは切り替え処理（タスク）が再開すると、再度、受信Ｋ１／Ｋ２バイト読出処理部２を通して受信Ｋ１／Ｋ２バイトを読み出し、対向装置ＢからのＲＲを受信することで、異常ＲＲ状態に陥ることを防止する。
【００３９】
これらにより、パッケージ交換を行なう時に、現在の切り替え運用状態を固定した後、パッケージを挿入するといったパッケージ交換前の準備作業を保守者が実施することなく、パッケージ交換が可能となる。
【００４０】
図３と図４の場合において、自局装置Ａの切り替え状態が回復待機中であり、その後、受信Ｋ１／Ｋ２バイト変化検出処理部４にて対向装置Ｂより受信したＫ１／Ｋ２バイトがＳＦ切り替え要求であった場合は異常ＲＲに陥ると判断し、対向装置ＢからのＲＲ受信を待つため、ＲＲ受信を待つまでの時間指定と共に、異常ＲＲ回避タイマ制御処理部６に通知する。異常ＲＲ回避タイマ制御処理部６では、依頼された時間に対して測定を開始し、依頼された時間の後、異常ＲＲ回避処理部７に通知する。
【００４１】
異常ＲＲ回避処理部７にて、再度、受信Ｋ１／Ｋ２バイト読出処理部２を通して受信Ｋ１／Ｋ２バイトを読み出し、対向装置ＢからのＲＲ受信を認識することで異常ＲＲ状態に陥ることを防止している。
【００４２】
また、異常ＲＲ回避タイマ制御処理部６が動作している時に、図６〜図１０に示す切り替え状態変化が起こる可能性があり、それぞれのシーケンス図にて、その対処方法を述べている。図６はタイマ動作中に自局装置ＡでＳＦが発生した場合の動作シーケンス、図７はタイマ動作中に自局装置ＡでＳＦが発生後、回復した場合の動作シーケンス、図８はタイマ動作中に自局装置ＡでＳＤが発生した場合の動作シーケンス、図９はタイマ動作中に自局装置ＡでＳＤが発生後、回復した場合の動作シーケンス、図１０はタイマ動作中に自局装置Ａで一度ＲＲを受信後、ＳＦを受信した場合の動作シーケンスである。
【００４３】
図６について説明する。自局現用系ＳＦ回復時点で受信ＳＦを認識できないと、対向装置ＢでのＳＦに対する応答ができないことになる。そこで、これを防ぐため、タイムアウト時点でＳＦを受信し、ＳＦ回復待ちである時は、受信ＡＰＳ（ＳＦ）を反映し、状態遷移を行なうものである。
【００４４】
自局回復まではシーケンスを省略する。自局装置Ａでは、ＳＦ回復を認識すると、対向装置Ｂに対してＷＴＲ（６１１０）を送信する（Ｓ１）。対向装置Ｂ側では、このＷＴＲを受信すると、それまでＳＦ応答中であるため、自局装置Ａ側に対してＳＦ（Ｃ１１０）を送信する（Ｓ２）。ここで、自局装置Ａ側でタイマが起動される。このタイマ起動中に、自局装置Ａ側で現用系のＳＦを検出すると、自局装置Ａは、対向装置Ｂに対してＳＦ（Ｃ１１０）を送信する（Ｓ３）。この時点で自局装置Ａ、対向装置Ｂ共にＳＦ回復待ちとなる。
【００４５】
対向装置Ｂでは、自局装置Ａに対してＳＦ（Ｃ１１０）を送信し（Ｓ４）、自局装置Ａは、対向装置Ｂに対してＳＦ（Ｃ１１０）を送信している（Ｓ５）。ここで、タイマがタイムアウトすると、自局装置Ａでは、ＳＦ受信を反映し、両局ともＳＦ回復待ちとなる。ここで、自局装置ＡでＳＦ回復を検出すると、自局装置Ａから対向装置Ｂに対してＲＲ（２１１０）を送信する（Ｓ６）。
【００４６】
次に、図７について説明する。自局現用系ＳＦ  ＷＴＲがタイムアウトした時点で受信ＳＦを認識できないと、対向装置ＢでのＳＦに対する応答ができないことになるので、これを防ぐため、タイムアウト時点でＳＦを受信し、ＳＦ  ＷＴＲ送信中である時は、受信ＡＰＳ（ＳＦ）を反映し、状態遷移を行なう。
【００４７】
次に、図８について説明する。ＳＤ発生中の変化では、ＳＤが自局装置Ａで発生後、対向装置ＢはＳＦで通知されているが、自局装置ＡはＳＤが継続されていることになる。これを防ぐため、タイムアウト時点でＳＦを受信し、ＳＤ回復待ちの場合、受信ＡＰＳ（ＳＦ）を反映し、状態遷移を行なう。
【００４８】
次に、図９について説明する。ＳＤ発生後、回復の場合で、ＳＤ発生中の変化ではＳＤが自局装置Ａで発生後、対向装置ＢはＳＦで通知されているが、自局装置ＡはＳＤが継続されていることになる（ＳＤ  ＷＴＲ送信中を継続）。これを防ぐため、ＳＦ受信で、ＳＤ  ＷＴＲ送信中の場合は、受信ＡＰＳ（ＳＦ）を反映し、状態遷移を行なう。
【００４９】
次に、図１０について説明する。タイムアウトまでに受信ＡＰＳが変化したが、再度異常ＲＲ回避が必要になったので、更にタイマを起動してタイマを延長するものである。
【００５０】
次に、図３〜図５までの動作について詳細に説明する。先ず、図３の動作シーケンスについて説明する。この図では、０系伝送路（現用系）で運用しており、対向装置Ｂの０系パッケージを交換する場合を示す。対向装置Ｂで、交換対象である０系パッケージを抜去すると、自局装置Ａにて、０系伝送路がＳＦとなったことを認識し、対向装置Ｂに対して１系伝送路（予備系）へのＳＦ切り替え要求をＫ１／Ｋ２バイトにより送信する（Ｓ１）。
【００５１】
対向装置Ｂでは、ＳＦ切り替え要求を受け、１系伝送路への切り替えを実行後（Ｓ２）、自局装置Ａに対してＲＲをＫ１／Ｋ２バイトにより送信する（Ｓ３）。ＲＲを受信した自局装置Ａにて１系伝送路の切り替えを実行する（Ｓ４）。
【００５２】
対向装置Ｂにて、０系に新しいパッケージを挿入すると、自局装置Ａにて０系伝送路のＳＦが回復したことを認識する（手順１）。自局装置Ａでは、ＳＦが回復し、また対向装置ＢからＫ１／Ｋ２バイトによる切り替え要求も来ていないため、回復待機保護中に状態変化を行ない、対向装置Ｂに対して回復待機中であることをＫ１／Ｋ２バイトにより送信する（手順２）。
【００５３】
対向装置Ｂでは、自局装置Ａからの回復待機中のＫ１／Ｋ２バイトを受信すると、自分はまだ０系パッケージが異常状態と認識しているため、自局装置Ａに対して１系伝送路へのＳＦ切り替え要求をＫ１／Ｋ２バイトにより送信する（手順３）。自局装置Ａでは、対向装置Ｂより１系へのＳＦ切り替え要求のＫ１／Ｋ２バイトを受信すると、自局の切り替え状態は回復待機中であるため、この後ＲＲのＫ１／Ｋ２バイトを対向装置Ｂに対して送信すると異常ＲＲに陥ると判断し、対向装置ＢからのＲＲ受信を待つため、切り替え処理（タスク）を止める（処理１）。
【００５４】
対向装置Ｂでは、自局装置Ａにて切り替え処理（タスク）を止めている間に０系パッケージが挿入されたことを認識し（Ｓ５）、かつ自局装置Ａからの回復待機中のＫ１／Ｋ２バイトを受信し続けているため、自局装置Ａに対してＲＲをＫ１／Ｋ２バイトにより送信する（手順４）。自局装置Ａでは、切り替え処理（タスク）が再開すると、再度、受信Ｋ１／Ｋ２バイトを読み出し、対向装置ＢからのＲＲを認識し、自局装置Ａをマスタ局とした回復待機保護状態となる（手順５）。
【００５５】
次に、図４に示すシーケンスについて説明する。この図の例では、０系伝送路（現用系）で運用しており、自局装置Ａの０系パッケージを交換する場合を示す。自局装置Ａで交換対象である０系パッケージを抜去すると、自局装置Ａにて、０系パッケージが抜去されたことを認識し（Ｓ１）、対向装置Ｂに対して１系伝送路（予備系）へのＳＦ切り替え要求をＫ１／Ｋ２バイトにより送信する（Ｓ２）。
【００５６】
対向装置Ｂでは、ＳＦ切り替え要求を受け、１系伝送路への切り替えを実行後（Ｓ３）、自局装置Ａに対してＲＲをＫ１／Ｋ２バイトにより送信する（Ｓ４）。ＲＲを受信した自局装置Ａでは、１系伝送路の切り替えを実行する（Ｓ５）。自局装置Ａにて、０系に新しいパッケージを挿入すると、自局装置Ａにて０系パッケージが挿入されたことを認識する（手順１）。
【００５７】
自局装置Ａでは、パッケージが挿入され、また対向装置ＢからＫ１／Ｋ２バイトにより切り替え要求も来ていないため、切り換え状態が回復待機中に変化し、対向装置Ｂに対して回復待機中であることをＫ１／Ｋ２バイトにより送信する（手順２）。対向装置では、自局装置Ａからの回復待機中のＫ１／Ｋ２バイトを受信すると、自分はまだ０系伝送路がＳＦ状態であると認識しているため、自局装置Ａに対して１系伝送路へのＳＦ切り替え要求をＫ１／Ｋ２バイトにより送信する（手順３）。
【００５８】
自局装置Ａでは、対向装置Ｂより１系へのＳＦ切り替え要求のＫ１／Ｋ２バイトを受信すると、この後にＳＦ切り替え要求に対するＲＲのＫ１／Ｋ２バイトを対向装置Ｂに対して送信すると異常ＲＲ状態に陥ると判断し、対向装置ＢからのＲＲ受信を待つため、切り替え処理（タスク）を止める（処理１）。
【００５９】
対向装置Ｂでは、自局装置Ａにて切り替え処理（タスク）を止めている間に、０系伝送路のＳＦ回復を認識し、かつ自局装置Ａからの回復待機中のＫ１／Ｋ２バイトを受信し続けているため、自局装置Ａに対してＲＲをＫ１／Ｋ２バイトにより送信する（手順４）。自局装置Ａでは、切り替え処理（タスク）が再開すると、再度受信Ｋ１／Ｋ２バイトを読み出し、対向装置ＢからのＲＲを認識し、自局装置Ａをマスタ局とした回復待機保護状態となる（手順５）。
【００６０】
このように、この実施の形態例によれば、自局装置Ａが回復待機中に、対向装置ＢよりＳＦ切り替え要求のＫ１／Ｋ２バイトを受信した場合、対向装置Ｂにてパッケージ挿入が行われたと認識し、その場合は自局装置Ａにて切り替え処理（タスク）を止め、一定時間後に切り替え処理（タスク）を再開し、再度、対向装置Ｂからの受信Ｋ１／Ｋ２バイト読み出すことで、パッケージ挿入時に異常ＲＲ状態に陥ることを防ぐことができる。この結果、パッケージ交換時の準備作業をなくし、安全でかつ交換時間を短縮したパッケージ交換作業を行なうことが可能となる。
【００６１】
次に、図５に示すシーケンスについて説明する。この実施の形態例は、０系伝送路（現用系）で運用しており、対向装置Ｂの０系パッケージを交換する場合を示す。対向装置Ｂで、交換対象である０系のパッケージを抜去すると、対向装置Ｂにて０系パッケージが抜去されたことを認識し（Ｓ１）、自局装置Ａに対して１系伝送路（予備系）へのＳＦ切り替え要求をＫ１／Ｋ２バイトにより送信する（Ｓ２）。
【００６２】
自局装置Ａでは、対向装置ＢからのＳＦ切り替え要求を受け、１系伝送路への切り替えを実行後（Ｓ３）、ＲＲをＫ１／Ｋ２バイトにより送信する（Ｓ４）。ＲＲを受信した対向装置Ｂでは、１系伝送路への切り替えを実行する（Ｓ５）。対向装置Ｂにて、０系に新しいパッケージを挿入すると、対向装置Ｂにて０系パッケージが挿入されたことを認識する（手順１）。対向装置Ｂでは、自局装置ＡからＫ１／Ｋ２バイトにより切り替え要求が来ていないため、切り替え状態が回復待機中に変化し、自局装置Ａに対して回復待機中であることをＫ１／Ｋ２バイトにより送信する（手順２）。
【００６３】
自局装置Ａでは、対向装置Ｂからの回復待機中のＫ１／Ｋ２バイトを受信すると、自分はまだ０系伝送路のＳＦ状態と認識しているため、対向装置Ｂに対して１系伝送路へのＳＦ切り替え要求をＫ１／Ｋ２バイトにより送信する（手順３）。その後、自局装置Ａでは、０系伝送路のＳＦ回復を認識するが、対向装置Ｂからの受信Ｋ１／Ｋ２バイトは回復待機中であるため、この後ＲＲのＫ１／Ｋ２バイトを対向装置Ｂに対して送信すると異常ＲＲ状態に陥ると判断し、対向装置からのＲＲ受信を待つ。このため、切り換え処理（タスク）を止める（処理１）。
【００６４】
対向装置Ｂでは、自局装置Ａにて切り替え処理（タスク）を止めている間に、自局装置Ａからの１系ＳＦ切り替え要求のＫ１／Ｋ２バイトを受信し、自局装置Ａに対してＲＲをＫ１／Ｋ２バイトにより送信する（手順４）。自局装置Ａでは、切り替え処理（タスク）が再開すると、再度受信Ｋ１／Ｋ２バイトを読み出し、対向装置ＢからのＲＲを認識し、自局装置Ａをマスタ局とした回復保護状態となる（手順５）。
【００６５】
この実施の形態例によれば、自局装置Ａでは、対向装置Ｂより回復待機の受信Ｋ１／Ｋ２バイトを受信中に、現用系のＳＦ回復を検出した場合には、自局装置Ａにて切り替え処理（タスク）を止め、一定時間後に切り替え処理（タスク）を再開し、再度対向装置Ｂからの受信Ｋ１／Ｋ２バイトを読み出すことで、パッケージ挿入時に異常ＲＲ状態に陥ることを防ぐことができる。
【００６６】
次に、本発明の他の実施の形態例について説明する。
自局装置Ａにおいて、切り替え状態が回復待機中である時に、対向装置Ｂより１系へのＳＦ切り替え要求のＫ１／Ｋ２バイトを受信すると、この後ＲＲのＫ１／Ｋ２を対向装置Ｂに対して送信すると、異常ＲＲ状態になると判断する。また、自局装置Ａにおいて、対向装置Ｂからの受信Ｋ１／Ｋ２バイトが回復待機中である時に、自局装置Ａでパッケージ挿入を認識すると、この後ＲＲのＫ１／Ｋ２バイトを対向装置Ｂに対して送信すると、異常ＲＲ状態に陥ると判断する。
【００６７】
この時、対向装置ＢからのＲＲ受信を待つため、ＲＲ受信を待つまでの時間を指定して、異常ＲＲ回避タイマ制御処理部６（図２参照）に通知する。異常ＲＲ回避タイマ制御処理部６では、依頼された時間に対して測定を開始し、依頼された時間の後、異常ＲＲ回避処理部７に通知する。異常ＲＲ回避処理部７にて、再度、受信Ｋ１／Ｋ２バイト読出処理部２を通して受信Ｋ１／Ｋ２バイトを読み出すことで、対向装置ＢからのＲＲが受信でき、自局装置Ａをマスタ局とした回復待機保護状態となる。
【００６８】
この実施の形態例によれば、パッケージ挿入時に対する異常ＲＲを回避する手段として、自局装置Ａにて異常ＲＲ状態に陥ると判断した時は、タイマ制御を起動し、一定時間後に再度対向装置Ｂからの受信Ｋ１／Ｋ２バイトを読み出すことで、パッケージ挿入時に異常ＲＲ状態に陥ることを防ぐと共に、対向装置Ｂの回復確認保護時間がどれだけ長くても、他のプロテクションの切り替え動作に影響なく移動ＲＲ回避が可能となる。
【００６９】
【発明の効果】
以上説明したように、本発明によれば以下の効果が得られる。
（１）請求項１記載の発明によれば、パッケージ挿入時に、対向装置から期待するＫ１／Ｋ２バイトを受信するまで切り替え処理（タスク）を止めることで異常ＲＲ処理に陥らないようにし、それにより、パッケージ交換時の準備作業をなくし、安全でかつ交換時間を短縮したパッケージ交換作業を行なうことが可能となる。
【００７０】
（２）請求項２記載の発明によれば、パッケージ挿入時に異常ＲＲ処理に陥ると判断した時に、切り替え処理（タスク）を止めることなく、異常ＲＲ処理を回避し、異常ＲＲ処理回避中においても他のプロテクションでの切り替え動作を可能とする。
【００７１】
（３）請求項３記載の発明によれば、パッケージ交換時に、異常ＲＲ処理に陥らないようにすることで、保守者によるパッケージ交換時の準備作業をなくし、かつ交換時間を短縮したパッケージ交換作業を行なうことが可能となる。
【００７２】
このように、本発明によれば、安全でかつ交換時間を短縮したパッケージ交換作業を行なうことができる伝送路切替異常回避方法及び伝送路切替異常回避システムを提供することを目的としている。
【図面の簡単な説明】
【図１】本発明方法の原理を示すフローチャートである。
【図２】本発明方法を実施するシステム構成例を示すブロック図である。
【図３】本発明の第１の動作シーケンス例を示す図である。
【図４】本発明の第２の動作シーケンス例を示す図である。
【図５】本発明の第３の動作シーケンス例を示す図である。
【図６】タイマ動作中に自局装置ＡでＳＦが発生した場合の動作シーケンス図である。
【図７】タイマ動作中に自局装置ＡでＳＦが発生後、回復した場合の動作シーケンス図である。
【図８】タイマ動作中に自局装置ＡでＳＤが発生した場合の動作シーケンス図である。
【図９】タイマ動作中に自局装置ＡでＳＤが発生後、回復した場合の動作シーケンス図である。
【図１０】タイマ動作中に自局装置Ａで一度ＲＲを受信後ＳＦを受信した場合の動作シーケンス図である。
【図１１】従来の故障検出／故障回復認識シーケンスを示す図である。
【図１２】切り戻り発生の第１の説明図である。
【図１３】切り戻り発生の第２の説明図である。
【図１４】切り戻り発生の第３の説明図である。
【符号の説明】
１  ＳＦ／ＳＤ変化検出処理部
２  受信Ｋ１／Ｋ２バイト読出処理部
３  切替制御メイン処理部
４  受信Ｋ１／Ｋ２バイト変化検出処理部
５  パッケージ状態変化処理部
６  異常ＲＲ回避タイマ制御処理部
７  異常ＲＲ回避処理部
１０  ハードウェア
【図１】
0003774137.tif 000002
【図２】
0003774137.tif 000003
【図３】
0003774137.tif 000004
【図４】
0003774137.tif 000005
【図５】
0003774137.tif 000006
【図６】
0003774137.tif 000007
【図７】
0003774137.tif 000008
【図８】
0003774137.tif 000009
【図９】
0003774137.tif 000010
【図１０】
0003774137.tif 000011
【図１１】
0003774137.tif 000012
【図１２】
0003774137.tif 000013
【図１３】
0003774137.tif 000014
【図１４】
0003774137.tif 000015